(57)【要約】【課題】情報表示方法および情報表示システムを提供する。【解決手段】実施形態の情報表示システムは、電子機器と、カメラと、予測部と、情報取得制御部と、を具備する。電子機器はディスプレイを含む。カメラは、前記電子機器に対して所定の位置関係を有する位置に設けられ、通過者の特徴の情報を取得する。予測部は、前記カメラと前記電子機器との位置関係と前記カメラが取得した通過者の特徴の情報に基づく通過者属性とに基づいて、前記ディスプレイに表示させる情報の候補を決定する。情報取得制御部は、前記予測部が決定した候補の情報を、前記通過者が前記電子機器のディスプレイの前を通過する前に情報保持部から取得する。【選択図】図１
2017111286.tif 000002
【特許請求の範囲】
【請求項１】
ディスプレイを含む少なくとも１の電子機器と、
前記電子機器に対して所定の位置関係を有する位置に設けられ、通過者の特徴の情報を取得するカメラと、
前記カメラと前記電子機器との位置関係と前記カメラが取得した通過者の特徴の情報に基づく通過者属性とに基づいて、前記ディスプレイに表示する情報の候補を決定する予測部と、
前記予測部が決定した候補の情報を、前記通過者が前記電子機器のディスプレイの前を通過する前に情報保持部から取得する情報取得制御部と、
を備える情報表示システム。
【請求項２】
前記予測部は、前記電子機器のディスプレイの前を通過する通過者の前記通過者属性と前記通過者の前記１の電子機器に対する移動方向とに基づいて、前記電子機器と所定の位置関係を有する他の電子機器のディスプレイに表示する情報の候補を決定する
請求項１の情報表示システム。
【請求項３】
前記予測部は、前記電子機器のディスプレイが表示した情報に関する情報を前記電子機器と所定の位置関係を有する他の電子機器と共有し、前記他の電子機器のディスプレイに表示させる情報の候補を決定する
請求項１または２の情報表示システム。
【請求項４】
前記情報取得制御部は、前記通過者属性を用いて、前記電子機器と所定の位置関係を有する他の電子機器のディスプレイの近傍を通過する通過者属性を予測するための照会用のデータベースを取得する
請求項１−３のいずれかの情報表示システム。
【請求項５】
前記予測部は、前記電子機器と所定の位置関係を有する他の電子機器が取得した前記通過者属性を用いて前記電子機器の前を通過する通過者属性を予測し、その予測情報をもとに、以降に前記電子機器のディスプレイに表示する候補の情報の表示スケジュールを決定する
請求項１−４のいずれかの情報表示システム。
【請求項６】
前記予測部は、前記カメラが通過者の情報を取得する範囲内を一定以上の速度で移動する通過者を、前記電子機器のディスプレイに表示する情報の候補を予測する対象から除外する
請求項１−５のいずれかの情報表示システム。
【請求項７】
前記通過者の特徴は、少なくとも性別および年齢層に関連する項目を含む
請求項１−６のいずれかの情報表示システム。
【請求項８】
通過者の特徴から通過者属性を求め、
通過者属性に基づいてディスプレイに表示させる情報の候補を決定し、
決定した候補の情報を、通過者がディスプレイの前を通過する前に情報保持部から取得してディスプレイに表示する
情報表示方法。
【請求項９】
通過者属性と通過者の移動方向とに基づいて、ディスプレイと所定の位置関係を有する他のディスプレイに表示させる情報の候補を決定する
請求項８の情報表示方法。
【請求項１０】
ディスプレイが表示した情報に関する情報をディスプレイと所定の位置関係を有する他のディスプレイと共有し、他のディスプレイに表示させる情報の候補を決定する
請求項８または９の情報表示方法。
【請求項１１】
通過者属性を用いて、ディスプレイと所定の位置関係を有する他のディスプレイの近傍を通過する通過者属性を予測するための照会用のデータベースを取得する
請求項８−１０のいずれかの情報表示方法。
【請求項１２】
ディスプレイと所定の位置関係を有する他のディスプレイが取得した通過者属性を用いてディスプレイの前を通過する通過者属性を予測し、その予測情報をもとに、以降にディスプレイに表示する候補の情報の表示スケジュールを決定する
請求項８−１１のいずれかの情報表示方法。
【請求項１３】
通過者の情報を取得する範囲内を一定以上の速度で移動する通過者を、ディスプレイに表示する情報の候補を予測する対象から除外する
請求項８−１２のいずれかの情報表示方法。
【請求項１４】
通過者の特徴は、少なくとも性別および年齢層に関連する項目を含む
請求項８−１３のいずれかの情報表示方法。
【発明の詳細な説明】
【技術分野】
【０００１】
この発明は、情報表示方法および情報表示システムに関する。
【背景技術】
【０００２】
近年、デジタルサイネージ（電子看板およびそれを実現できる電子機器）が普及し、駅構内や電車内、地下街、商業施設内あるいはビル内、等、様々な場所で利用されている。
【０００３】
デジタルサイネージの多くは、例えば表示するデータ（広告）および表示タイミング、等に関する制御信号を受信する通信ユニットとＰＣ（パーソナルコンピュータ）とを一体化したセットトップボックス（ＳＴＢ）と薄型ディスプレイと、の組み合わせにより実現されている。
【０００４】
その一方で、今日、デジタルサイネージは、ＳｏＣ（System-on-a-Chip）、等の発達により、薄型ディスプレイ単体で運用されるもの、あるいは薄型ディスプレイの外部入力端子（例えば、ＨＤＭＩ（登録商標）端子）に比較的小型（のスティック状）であることにより、容量が多いとは言いがたい、表示データ（広告）を供給可能なデータ供給媒体を組み合わせて運用するもの、等が実用化されている。しかしながら、ディスプレイ単体あるいはデータ供給媒体を組み合わせて運用するデジタルサイネージにおいては、ディスプレイ単体が保持可能なデータ容量もしくはデータ供給媒体の記憶容量に起因して、表示すべきデータや表示のためのソフトウェア（プログラム）の大きさ（データサイズ）が制限を受ける場合がある。
【０００５】
なお、デジタルサイネージ本体、あるいは所定の位置にカメラを用意し、ディスプレイ（デジタルサイネージ本体）の前に居る、あるいはディスプレイの前を通りすぎる閲覧者の年齢や性別を認識した結果に基づいてディスプレイに表示する表示データ（広告）を変更するシステムも実用化されている。しかしながら、閲覧者の年齢や性別を認識するプログラム（アプリケーション）を搭載することや、年齢や性別に基づいて表示する表示データ（広告）を変更することは、デジタルサイネージ本体が保持可能なデータ容量、もしくはデータ供給媒体の記憶容量の制限を、より受け易くなる。
【先行技術文献】
【特許文献】
【０００６】
【特許文献１】特開２０１１−１４９９８７号公報
【特許文献２】特開２０１４−１４０１４号公報
【発明の概要】
【発明が解決しようとする課題】
【０００７】
上記したように、ディスプレイ単体での運用や、比較的小型（のスティック状）であることにより、容量が多いとは言いがたい、表示データを供給可能なデータ供給媒体とディスプレイとを組み合わせる運用においては、表示すべき動画のデータの大きさ（データサイズ）や表示のためのソフトウェア（プログラム）の収容可能数が制限を受ける。このため、高精細で再現色域の広い動画、等を広告として表示する場合、動画データ、等を、複数種類、さまざまな閲覧者に呈示可能に大量に保存しておくことは、記憶容量の点でコストの上昇を招く。
【０００８】
なお、デジタルサイネージ本体と独立に設けたデータベースに保存した認識した閲覧者と関連のある情報、例えば広告の種別を照会するような運用も可能であるが、通信ユニット、等に必要となるコストの上昇を招く。特に、上記したように、カメラにより認識した閲覧者と関連のある情報に基づいて広告内容を出しわけるような場合は、条件、例えば閲覧者と関連のある情報や、時間帯、曜日、等に基づいて様々な動画（広告）を再生（呈示）できることが必要となる。このため、記憶容量が十分とは言い難く、しかも通信系のコスト、例えば電力消費やリソース負荷の増大、等を抑えたディスプレイ単体やデータ供給媒体とディスプレイとを組み合わせる運用は、実質的に実現困難である。
【０００９】
さらに、ディスプレイ単体や、データ供給媒体とディスプレイとを組み合わせる運用において、ストリーミングにより、ネットワークから直接、動画（広告）を再生することも可能ではある。しかしながら、実際の運用時には、ネットワークの混雑、等に起因するデータのバッファリングの遅延や欠損、一時的な通信の遮断、等に起因して、表示の乱れや遅延が起こる可能性が高く、サイネージとしては、実用困難である。
【００１０】
またさらに、上記したように、カメラにより認識した閲覧者と関連のある情報に基づいて広告内容を変更する場合において、移動している人々を閲覧者とする場合、ディスプレイの前を通る人を予測する、等の対応が必要となる。なお、ディスプレイの前を通る人を予測するために人を認識する場合には、照会用のデータをどれだけ保存できるかが重要であるが、記憶容量が十分とは言い難いディスプレイ単体や、データ供給媒体とディスプレイとを組み合わせる運用においては、キャッシュメモリの運用の最適化、等が必要となる。
【００１１】
この発明の目的は、記憶容量の増大やコストの上昇を抑止する情報表示方法および情報表示システムを提供することである。
【課題を解決するための手段】
【００１２】
実施形態の情報表示システムは、電子機器と、カメラと、予測部と、情報取得制御部と、を具備する。電子機器はディスプレイを含む。カメラは、前記電子機器に対して所定の位置関係を有する位置に設けられ、通過者の特徴の情報を取得する。予測部は、前記カメラと前記電子機器との位置関係と前記カメラが取得した通過者の特徴の情報に基づく通過者属性とに基づいて、前記ディスプレイに表示させる情報の候補を決定する。情報取得制御部は、前記予測部が決定した候補の情報を、前記通過者が前記電子機器のディスプレイの前を通過する前に情報保持部から取得する。
【図面の簡単な説明】
【００１３】
【図１】実施形態に係る情報表示システム（電子機器）の一例を示す。
【図２】実施形態に係る情報表示システムの動作の一例を示す。
【図３】実施形態に係る情報表示システムの動作の一例を示す。
【図４】実施形態に係る情報表示システムによる情報表示方法の一例を示す。
【図５】実施形態に係る情報表示システムによる情報表示のための予測の一例を示す。
【図６】実施形態に係る情報表示システムによる情報表示方法の一例を示す。
【図７】実施形態に係る情報表示システムによる情報表示方法の一例を示す。
【図８】実施形態に係る情報表示システム（電子機器）の一例を示す。
【図９】実施形態に係る情報表示システムの動作の一例を示す。
【図１０】実施形態に係る情報表示システム（電子機器）の一例を示す。
【図１１】実施形態に係る情報表示システムの動作の一例を示す。
【発明を実施するための形態】
【００１４】
以下、図面を参照して、実施の一形態について説明する。
【００１５】
図１は、実施形態に係る電子機器を含む情報表示システムの一例を示す概略図である。
【００１６】
図１が示す情報表示システム１０１は、例えば３台のサイネージ（広告表示）端末装置１Ａ（Ａ〜Ｎ（Ｎは正の整数）の添え字を付して複数台を識別する）、サイネージ端末装置１Ｂおよびサイネージ端末装置１Ｃ、情報管理サーバ１１１、および通信ネットワークＮＴＷ、を少なくとも含む。サイネージ端末装置は、４台以上であってもよいし、１台であってもよい。サイネージ端末装置のそれぞれについては、サイネージ端末装置１Ａを端末装置Ａあるいは第一の端末装置、サイネージ端末装置１Ｂを端末装置Ｂあるいは第二の端末装置、サイネージ端末装置１Ｃを端末装置Ｃあるいは第三の端末装置と称する場合もある。
【００１７】
サイネージ端末装置１Ａ、１Ｂおよび１Ｃは、広告閲覧者（単に閲覧者と称する場合もある）すなわち広告を呈示（表示）すべき対象者に向けて映像（動画や静止画を含む）を表示する。サイネージ端末装置１Ａ、１Ｂおよび１Ｃはまた、表示すべき映像に付属する音声（および音声に付属することのある音響成分）を再生する。広告、映像、音声（音響成分）は、情報と称する場合もある。
【００１８】
情報管理サーバ１１１は、サイネージ端末装置１Ａ、１Ｂおよび１Ｃが表示する映像に対応する映像データおよびまたは音声（音響）に対応する音声データを蓄積（保持）し、管理する。
【００１９】
通信ネットワークＮＴＷは、サイネージ端末装置１Ａ、１Ｂおよび１Ｃのそれぞれと、情報管理サーバ１１１と、を無線あるいは有線のＬＡＮ（Local Area Network）により、情報の受け渡しが可能に接続する。通信ネットワークＮＴＷはまた、サイネージ端末装置１Ａ、１Ｂおよび１Ｃ相互間で情報を通信する（データの受け渡しを行う）。通信ネットワークＮＴＷは、外部の接続サービスであってもよい。
【００２０】
情報表示システム１０１はまた、サイネージ端末装置１Ａ、１Ｂおよび１Ｃのいずれかの前を通過する、もしくは前に居る（立ち止まっている）人、すなわち閲覧者を認識するための所定数のカメラを、少なくとも含む。カメラは、サイネージ端末装置１Ａ、１Ｂおよび１Ｃのそれぞれに一体に設けられても良いし、サイネージ端末装置１Ａ、１Ｂおよび１Ｃの近傍の所定の位置に独立して設けられてもよい。カメラが２台より多い場合には、サイネージ端末装置が１台のみである場合においても、予測結果に基づく広告（動画あるいは静止画）を表示することが可能となる。
【００２１】
以下、図１が示す情報表示システム１０１においては、サイネージ端末装置１Ａ、１Ｂおよび１Ｃのそれぞれに、カメラ１１Ａ、１１Ｂおよび１１Ｃが設けられる例について説明する。
【００２２】
サイネージ端末装置１Ａ、１Ｂおよび１Ｃは、それぞれ、カメラ１１Ａ、１１Ｂおよび１１Ｃ、ディスプレイ１２Ａ、１２Ｂおよび１２Ｃ、描画部（表示制御部）１３Ａ、１３Ｂおよび１３Ｃ、制御部１４Ａ、１４Ｂおよび１４Ｃ、映像解析部１５Ａ、１５Ｂおよび１５Ｃ、通信部１６Ａ、１６Ｂおよび１６Ｃ、音声再生部１７Ａ、１７Ｂおよび１７Ｃ、およびスピーカ１８Ａ、１８Ｂおよび１８Ｃを含む。スピーカ１８Ａ、１８Ｂおよび１８Ｃが用意されていないサイネージ端末装置１Ａ、１Ｂおよび１Ｃにおいては、音声再生部１７Ａ、１７Ｂおよび１７Ｃが省略されてもよいことはいうまでもない。
【００２３】
カメラ１１Ａ、１１Ｂおよび１１Ｃは、サイネージ端末装置１Ａ、１Ｂおよび１Ｃの前を通りすぎる人、あるいは立ち止まっている人（閲覧者）の属性を解析するため、閲覧者の特徴（外見的な情報）を得る。カメラ１１Ａ、１１Ｂおよび１１Ｃは、閲覧者の外見的な情報（特徴）を映像解析部１５Ａ、１５Ｂおよび１５Ｃに提供できるものであれは、閲覧者の特徴をデータ化して映像解析部１５Ａ、１５Ｂおよび１５Ｃに供給するものであってもよいし、閲覧者を撮影したデータを映像解析部１５Ａ、１５Ｂおよび１５Ｃに供給するものであってもよい。
【００２４】
ディスプレイ１２Ａ、１２Ｂおよび１２Ｃは、閲覧者に対して呈示（表示）すべき映像データに基づく映像（広告）を表示する。
【００２５】
描画部（表示制御部）１３Ａ、１３Ｂおよび１３Ｃは、例えば汎用的なＷｅｂブラウザや、専用のコンテンツプレーヤ、等を含み、ディスプレイ１２Ａ、１２Ｂおよび１２Ｃに描画する情報を構成する（個々のディスプレイが表示する映像に対応する映像信号を出力する）。
【００２６】
制御部１４Ａ、１４Ｂおよび１４Ｃは、個々のディスプレイへの描画や、他の機器との間の情報の通信（受け渡し）を制御する。
【００２７】
映像解析部１５Ａ、１５Ｂおよび１５Ｃは、カメラ１１Ａ、１１Ｂおよび１１Ｃにより得た閲覧者の映像をもとに、実際に閲覧者の属性を判別する。
【００２８】
通信部１６Ａ、１６Ｂおよび１６Ｃは、通信ネットワークＮＴＷを通じて他の端末装置や情報管理サーバ１１１と通信する。
【００２９】
情報管理サーバ１１１は、通信部１１２、広告蓄積部１１３、端末位置記憶部１１４、閲覧情報管理部１１５、および表示内容決定部１１６、を少なくとも含む。
【００３０】
通信部１１２は、通信ネットワークＮＴＷを通じて個々のサイネージ端末１Ａ、１Ｂおよび１Ｃと通信する。
【００３１】
広告蓄積部１１３は、サイネージ端末装置１Ａ、１Ｂおよび１Ｃに表示するための様々な情報（動画データ、静止画データ、ＨＴＭＬコンテンツ、等および情報が音声／音響を伴う場合、そのデータ）を保持する。
【００３２】
端末位置記憶部１１４は、通信ネットワークＮＴＷに接続されているサイネージ端末装置１Ａ、１Ｂおよび１Ｃ相互間の個々の位置関係を記憶する。
【００３３】
閲覧情報管理部１１５は、サイネージ端末装置１Ａ、１Ｂおよび１Ｃに設けられた個々のカメラ１１Ａ、１１Ｂおよび１１Ｃを介して取得し、映像解析部１５Ａ、１５Ｂおよび１５Ｃが判別した（さまざまな）閲覧者の属性情報を保持する。
【００３４】
表示内容決定部１１６は、任意のサイネージ端末装置１Ａ、１Ｂおよび１Ｃの前を通過した閲覧者（閲覧者群）が次に通り過ぎるであろう次のサイネージ端末装置が表示すべき広告（情報）を決定する。次のサイネージ端末装置が表示すべき広告は、閲覧情報管理部１１５が保持する閲覧者の属性情報と端末位置記憶部１１４が保持する個々のサイネージ端末装置の位置情報とから、どのような属性の閲覧者群が通過するかを予測した予測結果（情報）を基に、決定する。すなわち、表示内容決定部１１６は、閲覧情報管理部１１５が保持する任意のサイネージ端末装置の前を通過した閲覧者（閲覧者群）の属性情報と個々のサイネージ端末装置が位置している位置の情報、例えばサイネージ端末装置相互間の間隔や隣接する方向、等を用いて次にサイネージ端末装置の前を通過する閲覧者群（閲覧者）を予測した結果に基づいて、それぞれのサイネージ端末装置がどの情報（広告）を表示するのがよいかを決定する。
【００３５】
なお、個々のサイネージ端末装置１Ａ、１Ｂおよび１Ｃにおける映像解析部１５Ａ、１５Ｂおよび１５Ｃは、閲覧者の属性情報の判別（特定）に際して、その認識の精度をあげるため、予測した結果（属性）に基づいて、適切な照会用のデータベースを情報管理サーバ１１１（ネットワーク）よりダウンロードして、キャッシュすることも可能である。
【００３６】
また、個々のサイネージ端末装置１Ａ、１Ｂおよび１Ｃにおけるディスプレイへの情報の出力タイミング（ディスプレイが広告の表示を開始するタイミング）は、予測した閲覧者がディスプレイの前を通過するであろう時間よりも、例えばディスプレイ相互間距離に応じて決まる所定時間、先行することが好ましい。
【００３７】
表示内容決定部１１６は、任意のサイネージ端末装置１Ａ、１Ｂおよび１Ｃの前を通過した閲覧者（閲覧者群）が次に通り過ぎるであろう次のサイネージ端末装置が表示すべき広告（情報）を決定する。  
図２（ａ）および図２（ｂ）は、任意の（１台の）サイネージ端末装置のカメラが取得する閲覧者の認識処理の一例を示す概略図である。
【００３８】
図２（ａ）は、任意の（１台の）サイネージ端末装置の前を、Ｍで示す男性およびＦで示す女性が、合計８名通過（移動）している例を示す。
【００３９】
図２（ａ）において、サイネージ端末装置１の映像解析部１５は、カメラ１１が取得する映像から個々の閲覧者について、男性と女性とを識別する。また、大まかな年齢を判別する。さらに、撮影時間と移動距離の関係から、カメラ１１（サイネージ端末装置１）の前を通過する閲覧者の移動方向と移動速度を求める。図２（ａ）においては、移動速度が速い（高い）場合を、矢印の長さを大きく（長く）して、模式的に示している。これらの閲覧者の認識や、移動方向を識別する技術は、例えば日本国特許公開公報２０１４−１４０１４号や同２０１１−１４９９８７号に記載の技術を利用できる。
【００４０】
個々のサイネージ端末装置１（Ａ，Ｂ，・・・，Ｎ）は、図２（ｂ）が示すような移動方向の区分すなわち右方向または左方向の方向と、それぞれの方向に移動している閲覧者の属性（性別および年齢）とを組み合わせた属性情報を映像解析部１５にて定期的に作成する。作成した属性情報は、通信ネットワークＮＴＷを通して情報管理サーバ１１１に送信する。
【００４１】
図２（ａ）の例では、カメラ１１（サイネージ端末装置１）の前を左側に３名の男性と１名の女性が移動していることがわかる。また、カメラ１１（サイネージ端末装置１）の前を右側に２名の女性と２名の男性が移動していることがわかる。ここで、左側に移動中の１名の男性は、平均的な人間（閲覧者）の歩行スピードと比べて著しく速く移動していたとする。このような場合には、サイネージなどを見る余裕はないだろうと判断し、閲覧者としては認識しないことも可能とする（取消線を付加して示すように、認識した閲覧者から除外することも可能とする／あるいは閲覧者としてのカウント（情報）を削除してもよい）。
【００４２】
図３は、複数台のサイネージ端末装置からなる情報表示システムの一例を示す概略図である。
【００４３】
駅構内や商業施設内、地下街などでデジタルサイネージの設置が普及しており、複数台のサイネージ端末装置が連続して設置されるような例も増えている。一つの柱の４面に、（４台の）サイネージ端末装置が設置される場合などもあるが、図３では、説明の簡便さから複数台のサイネージ端末装置が直線状に並んで配置される場合を例に説明する。
【００４４】
図３が示すように、３台のサイネージ端末装置１Ａ、１Ｂおよび１Ｃが直線状に設置されている場合、それらが一直線であればサイネージ端末装置１Ａを向かって左側から通過した閲覧者は、一定時間の後、サイネージ端末装置１Ｂを（左側から）通過する、と仮定することが可能である。反対に、サイネージ端末装置１Ｂを右側から通過した閲覧者は、一定時間の後、サイネージ端末装置１Ａを（右側から）通過する、と仮定することが可能である。同様のことをサイネージ端末装置１Ｂ−１Ｃ間についても言うことができ、これらから、隣接するサイネージディスプレイ（サイネージ端末装置）の前を通過する通過者を、隣のディスプレイの閲覧者の候補として考えることができる。
【００４５】
図４は、図３が例示する複数台のサイネージ端末装置相互間を移動（通過）する通行人（群）の数とサイネージ端末装置相互との関係を示す概略図である。
【００４６】
サイネージ端末装置Ａとサイネージ端末装置Ｂとが、例えば既定の距離の４倍離れ、サイネージ端末装置Ｂとサイネージ端末装置Ｃとが、例えば規定の距離の５倍離れて配置されているとする。以下、ある一定の間隔（単位時間）ｔ毎に、いずれかのサイネージ端末装置の前を通過している通行人（群）の属性の解析を行う。
【００４７】
時刻ｎ（ｔ＝ｎ）における解析結果を、サイネージ端末装置Ａ、ＢおよびＣのそれぞれについて、通行人（群）が左方向（ｌ）および右方向（ｒ）のどちらに移動しているか（すなわち移動方向）で分類し、そのクラス（分類）に名前をつけると、    
サイネージ端末装置Ａについて、lＡn、rＡn、    
サイネージ端末装置Ｂについて、lＢn、rＢn、    
サイネージ端末装置Ｃについて、lＣn、rＣn 
と、表記できる（図４（ａ））。
【００４８】
１単位時間（ｔ＝１）進んだ（時刻ｎ（ｔ＝ｎ＋１）の）場合は、個々のサイネージ端末装置のカメラで直接観測できるのは閲覧者は、新しい通行人（群）であり、これらを、    
lＡn+1、rＡn+1、    
lＢn+1、rＢn+1、    
lＣn+1、rＣn+1    
と表記する。
【００４９】
また、既にサイネージ端末装置の前を通過したlＡn、rＡn、lＢn、rＢn、lＣn、rＣnというクラス（分類）が付けられた通行人（群）については、それぞれ、左右に一定距離進んだと仮定することができる。これを図示すると、図４（ｂ）が示すように表記できる。
【００５０】
この処理を繰り返すと、単位時間ｔ毎に、サイネージ端末装置の前を通過する新たな通行人（群）lＡt、rＡt、lＢt、rＢt、lＣt、rＣtが観測され、以前の観測結果が左右に伝搬していくこととなる（図４（ｃ）および図４（ｄ））。
【００５１】
その結果、サイネージ端末装置ＡとＢとの間の距離ＡＢおよびサイネージ端末装置ＢとＣとの間の距離ＡＣが既知であれば、以前観測した通行人が現在どの辺りを通行しているであろうか、を類推することができる。
【００５２】
従い、上記の例では、ある時刻ｍにサイネージ端末装置Ｂの前を通過するであろう通行人（群）の数Ｂ´を、    
Ｂ´m＝rＡ´m-4＋lＣ´m-5  ・・・  ［１］    
式で表すことが可能である（Ａ´はサイネージ端末装置Ａの前を通過する通行人（群）の数、Ｃ´はサイネージ端末装置Ｃの前を通過する通行人（群）の数を示す）。
【００５３】
よって、ある時刻ｍにおけるサイネージ端末装置１Ｂの前を通過する通行人（群）の数Ｂ´の属性を類推することが可能となる。
【００５４】
この推測した属性に基づいて、（属性情報を情報管理サーバ１１１から取得することで）通行人（群）の数Ｂ´の属性にあわせた（通行人（群）の数Ｂ´の属性と一致するであろう）広告を表示（呈示）することができる。
【００５５】
図５は、［１］式をより一般的なモデルとして示す概略図である。
【００５６】
図５が示すように、サイネージ端末装置ＡからＢまでの距離をＤAB、サイネージ端末装置ＢからＣまでの距離をＤBC、サイネージ端末装置ＡからＢに向かう通行人（群）の属性情報をBＡ´x、サイネージ端末装置ＢからＣに向かう通行人（群）の属性情報をBＣ´xとすると、距離と時刻のパラメータからサイネージ端末装置１Ｂの（前を通過するであろう）通行人（群）の数Ｂ´の予測値Ｂ´nは、    
BＡ´x ＝ BＡ´n - DAB  および  BＣ´x ＝ BＡ´n - DBC  であるから    
Ｂ´n＝BＡ´n - DAB＋BＣ´n - DBC  ・・・  ［２］    
と表すことができる。
【００５７】
なお、この例（［２］式）では、サイネージ端末装置Ａ、ＢおよびＣが直線状に並んだ前提で定式化しているが、実際はＴ字路などが存在する場合なども考えられ、あるサイネージ端末装置Ｘに対して３つ以上のサイネージ端末装置から通行人（群）の属性の入力があることも考えられる。逆に、分岐する場合においては、あるサイネージ端末装置Ｘの前を通過した通行人（群）が他のサイネージ端末装置Ｙもしくはサイネージ端末装置Ｚのどちらかの前を通るか、というモデルも考えられる。
【００５８】
このような場合、解析結果などからサイネージ端末装置Ｙもしくはサイネージ端末装置Ｚのどちらに何％（どの程度の割合）の通行人（群）が対象となるサイネージ端末装置の前に移動するかなどを系数として学習し、その値（系数）を掛け合わせてそのサイネージ端末装置の前を通過するであろう通行人（群）の属性を類推することも可能である。
【００５９】
また、カメラの画角が一定の画角よりも広い広角である場合など、サイネージ端末装置が呈示（表示）する広告が通行人の目に入るタイミングよりも先にカメラで通行人（群）の属性が解析できるような場合、自サイネージ端末装置において、１つ前（一定時間前）の解析結果も考慮（を推定）して、自サイネージ端末装置の前を通過する通行人（群）の属性を類推することも可能である。
【００６０】
図６は、あるサイネージ端末装置（自装置）に表示する情報（広告）と類推した閲覧者（通行人（群））の属性との対応（関連付け）する例を示す概略図である。
【００６１】
図４および図５を用いて説明したように、あるサイネージ端末装置（自装置）の前を通過する通行人（群）の属性を、他の端末の前を通過した通行人（群）の属性を用いて推測した場合には、その推測情報（推測結果）に基づいてあるサイネージ端末装置（自装置）において次に表示すべき情報（広告）を決定することができる。
【００６２】
図６は、類推した属性の通行人（群）が、あるサイネージ端末装置（自装置）の前に来た場合（自装置の前を通過する場合）、自装置（あるサイネージ端末装置）が表示すべき情報を、一覧で示す。
【００６３】
図６を参照すれば、自装置（あるサイネージ端末装置）の前を次に通過する（次に自装置に訪れる）であろう通行人（群）の閲覧者の属性の推測値が、例えば４０代男性であるとき、ＩＤ［C0002］が定義する「apparel_middle_m」の情報を、自装置において表示することが好ましい。
【００６４】
同様に、通行人（群）の閲覧者の属性の推測値が、例えば６０代女性であるとき、ＩＤ［C0300］が定義する「foods_old_f」の情報を、自装置において表示することが好ましい。表示することが好ましい。
【００６５】
なお、表示する情報（広告）と閲覧者の属性とは必ずしも１対１で関連付ける必要はなく、同じ属性に対して複数の情報（コンテンツ）とを対応付け、その中からランダムに選ぶ、といった表示方法をとることもできる。例えば、通行人（群）の閲覧者の属性の推測値が、例えば２０代男性と２０代女性である３人の群（図２において左方向へ移動中）に対して、男性向けのＩＤ［C0101］が定義する「sport_young_m」の情報を表示することも可能である。この場合、スポーツという共通の項目において、表示した情報（広告）が、性差の影響を受けることなく、広く受け入れられる（広告に関心を持ってもらえる）、という可能性を期待できる。
【００６６】
また、同じ属性に対して複数の情報が対応付けできる場合、それらを連続して表示する、といった表示方法をとることもできる。
【００６７】
また、（採用する）通行人（群）の属性については、解析した結果で最も人数が多い群に対応する属性の情報を優先して表示する、といった表示方法をとることもできる。一方で、（採用する）通行人（群）の属性については、上位の群に対応する属性に対応した情報（広告）を複数表示する、といった表示方法をとることもできる。
【００６８】
図７は、あるサイネージ端末装置が表示すべき情報（広告）を決定する際の処理を、ソフトウエア的に示す。
【００６９】
サイネージ端末装置は、カメラから入力された映像を解析した結果をもとに、閲覧者（通行人）の属性情報を更新する［Ｓ００１］。
【００７０】
サイネージ端末装置は、現在表示している情報（広告）が終了した時点での閲覧者の属性の予測が可能かを、情報管理サーバ１１１に問い合わせることにより判定する［Ｓ００２］。
【００７１】
サーバは、あるサイネージ端末装置が現在表示している情報（広告）が終了した時点での閲覧者の属性の予測が可能であるとき［Ｓ００２−ＹＥＳ］、予測した予測値をもとに、次に表示すべき情報（広告）を決定する［Ｓ００３］。
【００７２】
サイネージ端末装置は、サーバが決定した次に表示すべき情報（広告）について、その情報（関連する動画など）を、（サーバから）事前に取得（プリロード）する［Ｓ００４］。
【００７３】
現在表示している情報（広告）が終了した時点での閲覧者の属性を予測できない場合［Ｓ００２−ＮＯ］、次の情報表示のタイミングが、所定の時間内であるか＝次の情報表示のタイミングである＝予測を先延ばしできない（もしくは、予測の判断を１サイクル先延ばししても問題ないか＝所定の時間内ではない＝先延ばしできるか）を判定する［Ｓ００５］。
【００７４】
次の情報表示のタイミングが所定の時間内である（次の情報表示を先延ばしできない）もしくは閲覧者の属性を予測できない場合［Ｓ００５−ＹＥＳ］、予め定められた予測値を用いないルール（例えばデフォルトの表示順序）に従って、次に表示すべき情報を決定する［Ｓ００６］。
【００７５】
次の情報表示のタイミングまで既定時間以上余裕がある（次の情報表示を先延ばししても問題ない）場合［Ｓ００５−ＮＯ］、（次の）閲覧者の属性情報の更新を待つ（属性情報が更新されるまで既定のルーティンに従って情報を表示する）。
【００７６】
なお、図８に示すように、それぞれのサイネージ端末装置１Ａ、１Ｂおよび１Ｃにおいて、閲覧者（通行人（群））に、どのような情報を表示したかの情報を共有して、次に（隣接する）サイネージ端末装置で表示（呈示）すべき情報を決定することも可能である。
【００７７】
すなわち、図８は、自装置（あるサイネージ端末装置）において表示した情報が、通行人（群）の閲覧者の属性の推測値として、例えば２０代男性を採用し、左方向へ移動する２人の男性向けのＩＤ［C0101］が定義する「sport_young_m」に対応する情報であることを、他のサイネージ端末装置と共有する例を示している。
【００７８】
サイネージ端末装置が表示（呈示）する情報（広告）は、連続して表示することで、（閲覧者が閲覧した結果として）広告に関心を持ってもらえる、というような閲覧効果を高めることができる場合がある。このため、閲覧者の属性情報に加え、その閲覧者があるサイネージ端末装置の前を通過した際に、どの情報（広告）が表示されていたか、すなわち、次のサイネージ端末装置に向かって移動している閲覧者が（既に）閲覧したであろう情報（広告）、に関する情報を、閲覧者の属性情報とともに共有する。これにより、次のサイネージ端末装置に向かって移動している閲覧者に、次に表示すべき情報（広告）を決定することが可能となる。
【００７９】
図８が示す例では、あるサイネージ端末装置において２０代男性と２０代女性である３人の群（図２において左方向へ移動中）が閲覧することを期待して、男性向けのＩＤ［C0101］が定義する「sport_young_m」の情報（広告）を表示したことが、他のサイネージ端末装置において共有できる。既に表示した情報を共有することにより、あるサイネージ端末装置（Ｂ）が表示した情報を閲覧した閲覧者が次に通過すると予測する次のサイネージ端末装置（Ａ）においてサイネージ端末装置（Ｂ）が表示した情報と連続性のある情報を表示することが可能となる。反面、サイネージ端末装置（Ａ）が表示する情報を閲覧した閲覧者（群）が、サイネージ端末装置（Ｂ）が表示する情報を閲覧する場合の連続性は無くなる。しかしながら、サイネージ端末装置（Ｂ）が表示した情報を閲覧した閲覧者が次に通過するサイネージ端末装置（Ａ）において、連続性のある情報を表示することで、継続効果（情報の連続性による関心を持ってもらえる、という閲覧効果）の向上が期待できる。すなわち、図４および図５により説明したような位置関係にあるサイネージ端末装置相互間において、通行人（群）の閲覧者の属性情報として、閲覧者の多い群の情報を共有することにより、その群の閲覧者に対して連続性のある情報を提供できる。
【００８０】
図９は、実施形態に係る電子機器を含む情報表示システムの別の一例を示す概略図である。なお、以下の説明において、図１が示す要素と同じか類似する要素については、同じ符号を付して詳細な説明を省略する場合がある。
【００８１】
図９が示す情報表示システム２０１は、例えば３台のサイネージ（広告表示）端末装置２Ａ（Ａ〜Ｎ（Ｎは正の整数）の添え字を付して複数台を識別する）、サイネージ端末装置２Ｂおよびサイネージ端末装置２Ｃ、情報管理サーバ２１１、および通信ネットワークＮＴＷ、を少なくとも含む。サイネージ端末装置は、４台以上であってもよいし、１台であってもよい。サイネージ端末装置のそれぞれについては、サイネージ端末装置２Ａを端末装置Ａあるいは第一の端末装置、サイネージ端末装置２Ｂを端末装置Ｂあるいは第二の端末装置、サイネージ端末装置２Ｃを端末装置Ｃあるいは第三の端末装置と称する場合もある。
【００８２】
サイネージ端末装置２Ａ、２Ｂおよび２Ｃは、広告閲覧者（単に閲覧者と称する場合もある）すなわち広告を呈示（表示）すべき対象者に向けて映像（動画や静止画を含む）を表示する。サイネージ端末装置２Ａ、２Ｂおよび２Ｃはまた、表示すべき映像に付属する音声（および音声に付属することのある音響成分）を再生する。広告、映像、音声（音響成分）は、情報と称する場合もある。
【００８３】
情報管理サーバ２１１は、サイネージ端末装置２Ａ、２Ｂおよび２Ｃが表示する映像に対応する映像データおよびまたは音声（音響）に対応する音声データを蓄積（保持）し、管理する。
【００８４】
通信ネットワークＮＴＷは、サイネージ端末装置２Ａ、２Ｂおよび２Ｃのそれぞれと、情報管理サーバ２１１と、を無線あるいは有線のＬＡＮ（Local Area Network）により、情報の受け渡しが可能に接続する。通信ネットワークＮＴＷはまた、サイネージ端末装置２Ａ、２Ｂおよび２Ｃ相互間で情報を通信する（データの受け渡しを行う）。通信ネットワークＮＴＷは、外部の接続サービスであってもよい。
【００８５】
以下、図９が示す情報表示システム２０１においては、サイネージ端末装置２Ａ、２Ｂおよび２Ｃのそれぞれに、カメラ１１Ａ、１１Ｂおよび１１Ｃが設けられる例について説明する。
【００８６】
サイネージ端末装置２Ａ、２Ｂおよび２Ｃは、それぞれ、カメラ１１Ａ、１１Ｂおよび１１Ｃ、ディスプレイ１２Ａ、１２Ｂおよび１２Ｃ、描画部（表示制御部）１３Ａ、１３Ｂおよび１３Ｃ、制御部１４Ａ、１４Ｂおよび１４Ｃ、映像解析部１５Ａ、１５Ｂおよび１５Ｃ、通信部１６Ａ、１６Ｂおよび１６Ｃ、端末位置記憶部２１４Ａ、２１４Ｂおよび２１４Ｃ、閲覧情報管理部２１５Ａ、２１５Ｂおよび２１５Ｃ、および表示内容決定部２１６Ａ、２１６Ｂおよび２１６Ｃを含む。
【００８７】
なお、個々のサイネージ端末装置２Ａ、２Ｂおよび２Ｃは、図１において説明したシステムにおいて情報管理サーバで用意している端末位置記憶部、閲覧情報管理部および表示内容決定部を一体に含むものである。
【００８８】
端末位置記憶部２１４は、通信ネットワークＮＴＷに接続されているサイネージ端末装置２Ａ、２Ｂおよび２Ｃ相互間の個々の位置関係を記憶する。
【００８９】
閲覧情報管理部２１５は、サイネージ端末装置２Ａ、２Ｂおよび２Ｃに設けられた個々のカメラ１１Ａ、１１Ｂおよび１１Ｃを介して取得し、映像解析部１５Ａ、１５Ｂおよび１５Ｃが判別した（さまざまな）閲覧者の属性情報を保持する。
【００９０】
表示内容決定部２１６は、任意のサイネージ端末装置２Ａ、２Ｂおよび２Ｃの前を通過した閲覧者（閲覧者群）が次に通り過ぎるであろう次のサイネージ端末装置が表示すべき広告（情報）を決定する。
【００９１】
カメラ１１Ａ、１１Ｂおよび１１Ｃは、サイネージ端末装置２Ａ、２Ｂおよび２Ｃの前を通りすぎる人、あるいは立ち止まっている人（閲覧者）の属性を解析するため、閲覧者の映像（外見的な情報）を得る。
【００９２】
ディスプレイ１２Ａ、１２Ｂおよび１２Ｃは、閲覧者に対して呈示（表示）すべき映像データに基づく映像（広告）を表示する。
【００９３】
描画部（表示制御部）１３Ａ、１３Ｂおよび１３Ｃは、例えば汎用的なＷｅｂブラウザや、専用のコンテンツプレーヤ、等を含み、ディスプレイ１２Ａ、１２Ｂおよび１２Ｃに描画する情報を構成する（個々のディスプレイが表示する映像に対応する映像信号を出力する）。
【００９４】
制御部１４Ａ、１４Ｂおよび１４Ｃは、個々のディスプレイへの描画や、他の機器との間の情報の通信（受け渡し）を制御する。
【００９５】
映像解析部１５Ａ、１５Ｂおよび１５Ｃは、カメラ１１Ａ、１１Ｂおよび１１Ｃにより得た閲覧者の映像をもとに、実際に閲覧者の属性を判別する。
【００９６】
通信部１６Ａ、１６Ｂおよび１６Ｃは、通信ネットワークＮＴＷを通じて他の端末装置や情報管理サーバ２１１と通信する。
【００９７】
情報管理サーバ２１１は、通信部１１２および広告蓄積部１１３、を少なくとも含む。
【００９８】
通信部１１２は、通信ネットワークＮＴＷを通じて個々のサイネージ端末２Ａ、２Ｂおよび２Ｃと通信する。
【００９９】
広告蓄積部１１３は、サイネージ端末装置２Ａ、２Ｂおよび２Ｃに表示するための様々な情報（動画データ、静止画データ、ＨＴＭＬコンテンツ、等および情報が音声／音響を伴う場合、そのデータ）を保持する。
【０１００】
図９が示す情報表示システム２０１においても、次のサイネージ端末装置が表示すべき広告（情報）は、閲覧情報管理部２１５が保持する閲覧者の属性情報と端末位置記憶部２１４が保持する個々のサイネージ端末装置の位置情報とから、どのような属性の閲覧者群が通過するかを予測した予測結果（情報）を基に、決定する。すなわち、表示内容決定部２１６は、閲覧情報管理部２１５が保持する任意のサイネージ端末装置の前を通過した閲覧者（閲覧者群）の属性情報と個々のサイネージ端末装置が位置している位置の情報、例えばサイネージ端末装置相互間の間隔や隣接する方向、等を用いて次にサイネージ端末装置の前を通過する閲覧者群（閲覧者）を予測した結果に基づいて、それぞれのサイネージ端末装置がどの情報（広告）を表示するのがよいかを決定する。
【０１０１】
すなわち、図９が示す情報表示システム２０１は、データサイズの大きな広告（情報）を情報管理サーバ２１１で保持し、閲覧者の属性情報の管理と表示内容の決定とを個々のサイネージ端末装置２Ａ、２Ｂおよび２Ｃで実行する。この形態は、サイネージ端末装置２Ａ、２Ｂおよび２Ｃ相互において定期的に、自装置（あるサイネージ端末装置）が解析した閲覧者の属性情報を、他のサイネージ端末装置に送信（ブロードキャスト）する。他のサイネージ端末装置が解析した閲覧者の属性情報を受け取ったサイネージ端末装置は、受け取った閲覧者の属性情報をもとに、次に表示する情報（広告）を決定する。
【０１０２】
この方式は、他のサイネージ端末装置で解析した閲覧者の属性情報を通信ネットワークを通じて個々のサイネージ端末装置において受けとり、次に表示する情報（広告）を決定する方式であり、Ｐ２Ｐ（Peer to Peer）端末型のモデルと言える。なお、閲覧者の属性情報の受け渡しに、情報管理サーバを介さないことにより、次のサイネージ端末装置において表示すべき情報（広告）を決定するまでに必要となる「現在表示している情報（広告）が終了した時点での閲覧者の属性の予測」のための処理時間を低減できる。また、サイネージ端末装置相互間の通信に用いる通信系に、例えばブルートゥース（登録商標）等を適用することにより、サイネージ端末装置相互間の通信系を情報表示システム内で完結することも可能となり、システム設計の汎用性を高めることも、可能となる。
【０１０３】
なお、個々のサイネージ端末装置は、現在表示している情報（広告）が終了した時点で、他のサイネージ端末装置からの閲覧者の属性情報に基づいて次に表示すべき情報を特定できる閲覧者の属性情報を予測し、表示する情報（広告）を、情報管理サーバから事前に取得（プリロード）することで、例えばキャッシュメモリの容量を不所望に大容量化することなく、動画、等のデータサイズの大きな情報を、表示できる。
【０１０４】
図１０は、実施形態に係る電子機器を含む情報表示システムの別の一例を示す概略図である。なお、以下の説明において、図１あるいは図９が示す要素と同じか類似する要素については、同じ符号を付して詳細な説明を省略する場合がある。図１１は、図１０が示す情報表示システムを、模式的に示す概略図である。
【０１０５】
図１０および図１１が示す情報表示システム３０１は、例えば３台のサイネージ（広告表示）端末装置３Ａ（Ａ〜Ｎ（Ｎは正の整数）の添え字を付して複数台を識別する）、サイネージ端末装置３Ｂおよびサイネージ端末装置３Ｃ、情報管理サーバ１１１、通信ネットワークＮＴＷおよび任意の位置に位置する所定数のカメラ３１１Ａ，３１１Ｂ，・・・，を少なくとも含む。カメラ３１１Ａ，３１１Ｂ，・・・，の数は、サイネージ端末装置の数よりも少なくとも構わないが、サイネージ端末装置の数より同数であってもサイネージ端末装置の数よりも多くとも構わない。
【０１０６】
カメラ３１１Ａ，３１１Ｂ，・・・，は、サイネージ端末装置３Ａ、３Ｂおよび３Ｃの前を通りすぎる人、あるいは立ち止まっている人（閲覧者）の属性を解析するため、閲覧者の映像（外見的な情報）を得る。カメラ３１１Ａ，３１１Ｂ，・・・，は、映像解析部３１５および通信部３１６を含み、自身で取得する閲覧者の映像（外見的な情報）と閲覧者の位置とを、通信部３１６を経由して情報管理サーバ１１１に送信する。
【０１０７】
情報管理サーバ１１１は、サイネージ端末装置３Ａ、３Ｂおよび３Ｃが表示する映像に対応する映像データを蓄積（保持）し、管理する。なお、情報管理サーバ１１１の表示内容決定部１１６は、カメラ３１１Ａ，３１１Ｂ，・・・，の位置と個々のサイネージ端末装置３Ａ、３Ｂおよび３Ｃの位置と基づいて、任意のサイネージ端末装置３Ａ、３Ｂおよび３Ｃが表示すべき情報を決定する。
【０１０８】
通信ネットワークＮＴＷは、サイネージ端末装置３Ａ、３Ｂおよび３Ｃのそれぞれと、情報管理サーバ１１１と、カメラ３１１Ａ，３１１Ｂ，・・・，とを、を無線あるいは有線のＬＡＮ（Local Area Network）により、情報の受け渡しが可能に接続する。通信ネットワークＮＴＷはまた、サイネージ端末装置３Ａ、３Ｂおよび３Ｃ相互間ならびにカメラ３１１Ａ，３１１Ｂ，・・・，および情報管理サーバ１１１との間でデータの受け渡しを行う。
【０１０９】
以下、図１０（および図１１）が示す情報表示システム３０１においては、サイネージ端末装置３Ａ、３Ｂおよび３Ｃのそれぞれは、通信部１６を通じ、カメラ３１１Ａ，３１１Ｂ，・・・，からの閲覧者の属性に基づいて情報管理サーバ１１１で予測した閲覧者の属性情報に応じて特定される情報（広告）を、情報管理サーバ１１１の広告蓄積部１１３から事前に取得する。
【０１１０】
このように、図１０（および図１１）が示す情報表示システム３０１においても、次のサイネージ端末装置が表示すべき広告（情報）は、閲覧情報管理部１１５が保持する閲覧者の属性情報と端末位置記憶部１１４が保持する個々のサイネージ端末装置の位置情報とから、どのような属性の閲覧者群が通過するかを予測した予測結果（情報）を基に、決定する。すなわち、情報管理サーバ１１１の表示内容決定部１１６は、閲覧情報管理部１１５が保持する任意のサイネージ端末装置の前を通過した閲覧者（閲覧者群）の属性情報と個々のサイネージ端末装置が位置している位置の情報、例えばサイネージ端末装置相互間の間隔や隣接する方向、等を用いて次にサイネージ端末装置の前を通過する閲覧者群（閲覧者）を予測した結果に基づいて、それぞれのサイネージ端末装置がどの情報（広告）を表示するのがよいか、を決定する。
【０１１１】
この方式は、個々のサイネージ端末装置と独立して設けられるカメラにおいて取得する閲覧者の属性情報に基づいて、情報管理サーバにて、サイネージ端末装置が次に表示する情報（広告）を決定する方式であるが、処理の流れは、上述した他の実施形態と同様である。なお、閲覧者の属性を解析する映像解析部をカメラに設け、ディスプレイ単体あるいはデータ供給媒体とディスプレイとを組み合わせて運用するシステムにおいて、カメラを、サイネージ端末装置に利用可能なディスプレイと独立に配置することは、汎用性の高いディスプレイの利用を可能とする。このことは、システム全体のコストを低減できる。
【０１１２】
なお、次のサイネージ端末装置において表示すべき情報（広告）を決定するまでに必要となる「現在表示している情報（広告）が終了した時点での閲覧者の属性の予測」のための処理時間を低減できることは、上述した他の実施形態と同様である。これにより、例えばキャッシュメモリの容量を不所望に大容量化することなく、動画、等のデータサイズの大きな情報を、表示できる。
【０１１３】
なお、図１０および図１１が示す情報表示システム３０１は、サイネージ端末装置へ向かう通行人（閲覧者）およびまたはサイネージ端末装置から離れる通行人（閲覧者）の属性を取得する複数のカメラを用いる例であり、サイネージ端末装置を、例えば１台とすることも可能である。すなわち、サイネージ端末装置が呈示（表示）する広告が通行人の目に入るタイミングよりも先に（複数の）カメラで通行人（群）の属性を解析できれは、１台のサイネージ端末装置において、自装置の前を通過する通行人（群）の属性を類推し、例えば最も人数の多い通行人（群）を意識した広告を表示することも可能である。また、表示する広告に関心を持ってもらえるであろうという、特定の属性情報の通行人（群）を予測し、その群に焦点（照準）をあてた連続性のある広告を表示することも可能である。
【０１１４】
このように、実施形態においては、連携する複数台のサイネージ端末装置またはカメラにより取得する閲覧者の属性情報を共有して、どのような閲覧者がどのタイミングで対象のディスプレイの前に到達するかを、事前予測して、移動する閲覧者に対して広告を表示する。また、その予測をもとに表示する広告データを準備する、もしくは事前に再生を始める。これにより、表示する広告に関心を持ってもらえるであろうという、閲覧効果を高めることができる。
【０１１５】
すなわち、複数台のサイネージ端末装置が閲覧者の属性情報を共有することで効率的に情報を提示することができる。
【０１１６】
また、ディスプレイ単体での運用や、容量が多いとは言いがたい比較的小型の外部記憶媒体（スティック状メモリ媒体）を組み合わせた運用に際しても、上述した閲覧者の属性を予測する手法を用い、事前に必要な映像を特定してプリロードすることにより、ネットワークの混雑の影響などを受けにくい安定して映像の表示が可能となる。
【０１１７】
すなわち、十分な記憶領域のストレージを保持しないサイネージ端末装置を用いる広告表示においても、閲覧者の属性にあわせて最適な情報を表示することができる。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１９】
例えば、カメラと、前記カメラの前を通過する閲覧者の性別と年代とを少なくとも含む閲覧者属性を判断する解析部と、情報を表示するディスプレイと、前記ディスプレイが表示する映像に対応する映像信号を生成する描画部と、他の電子機器や外部情報処理装置（サーバ）と通信する通信部と、前記解析部が解析した結果に対する前記通信部を経由した前記他の電子機器や前記外部情報処理装置（サーバ）からの入力情報に基づいて、前記ディスプレイが表示する情報を前記描画部に指示する制御部と、を有した複数台の電子機器と、前記ディスプレイが表示する情報に対応する元データを保持するデータ保持部と、前記電子機器間で判断した閲覧者属性を共有し、それら属性情報と互いの位置関係から、前記電子機器の１つの電子機器の前を通過する閲覧者の属性を予測して前記ディスプレイが表示する情報を決定する表示内容決定部と、を備えた情報表示システムが含まれる。
【０１２０】
前記表示内容決定部は、前記他の電子機器の少なくとも１つにおいて判断した前記閲覧者属性と、前記閲覧者が閲覧可能に、前記ディスプレイが表示した情報に関する情報と、を共有し、前記他の電子機器が表示すべき情報を予測する。
【０１２１】
前記表示内容決定部は、前記他の電子機器の少なくとも１つにおいて取得した前記閲覧者属性を用いて、前記電子機器の前記ディスプレイの近傍を通過する閲覧者の属性を予測し、その予測情報をもとに、前記データ保持部から前記ディスプレイが表示する情報に対応する元データを特定する。
【０１２２】
なお、情報表示システムは、他のサイネージ端末が取得した閲覧者属性を用いて自端末の前を通過する閲覧者の属性を予測するために必要な照会用のデータベースをバッファリングする。
【０１２３】
また、情報表示システムは、他のサイネージ端末が取得した閲覧者属性を用いて自端末の前を通過する閲覧者の属性を予測し、その予測情報をもとにこの後表示すべき広告情報のスケジュールを決定する。
【０１２４】
また、情報表示システムは、一定以上の速度で移動していることが判別できた閲覧者を、閲覧者属性の保持対象から除外する。
【符号の説明】
【０１２５】
１０１、２０１、３０１…情報表示（サイネージ）システム、１Ａ、１Ｂ、１Ｃ、２Ａ、２Ｂ、２Ｃ、３Ａ、３Ｂ、３Ｃ…サイネージ端末装置、１１Ａ、１１Ｂ、１１Ｃ、３１１…カメラ、１４…制御部、１５、３１５…映像解析部、１６、１１２…通信部、１１３…広告蓄積部、１１４、２１４…端末位置記憶部、１１６…表示内容決定部。
【図１】
2017111286.tif 000003
【図２】
2017111286.tif 000004
【図３】
2017111286.tif 000005
【図４】
2017111286.tif 000006
【図５】
2017111286.tif 000007
【図６】
2017111286.tif 000008
【図７】
2017111286.tif 000009
【図８】
2017111286.tif 000010
【図９】
2017111286.tif 000011
【図１０】
2017111286.tif 000012
【図１１】
2017111286.tif 000013